(57)【要約】【課題】従来は根本的治療法が知られていない自己免疫疾患の予防・治療剤、そのスクリーニング方法及び自己免疫疾患判定方法を得ることができる。【解決手段】本発明は、ＲＢＡｐ４８産生抑制剤又は阻害剤を有効成分とする自己免疫疾患の予防・治療剤；被検体のＲＢＡｐ４８産生抑制作用又は阻害作用を測定することを特徴とする自己免疫疾患の予防・治療剤のスクリーニング方法；さらには腺組織中ＲＢＡｐ４８濃度測定試薬を含有することを特徴とする自己免疫疾患の診断剤又は診断用キット、並びに判定方法を提供するものである。【選択図】  なし【特許請求の範囲】
【請求項１】
ＲＢＡｐ４８産生抑制剤又は阻害剤を有効成分とする自己免疫疾患の予防・治療剤。
【請求項２】
自己免疫疾患がシェーグレン症候群である請求項１記載の予防・治療剤。
【請求項３】
被検体のＲＢＡｐ４８産生抑制作用又は阻害作用を測定することを特徴とする、自己免疫疾患の予防・治療剤のスクリーニング方法。
【請求項４】
自己免疫疾患がシェーグレン症候群である請求項３記載の方法。
【請求項５】
腺組織中ＲＢＡｐ４８濃度測定試薬を含有することを特徴とする自己免疫疾患の診断剤又は診断用キット。
【請求項６】
自己免疫疾患がシェーグレン症候群である請求項５記載の診断剤又は診断用キット。
【請求項７】
腺組織中ＲＢＡｐ４８濃度を測定することを特徴とする自己免疫疾患の判定方法。
【請求項８】
自己免疫疾患がシェーグレン症候群である請求項７記載の判定方法。
【請求項９】
被検体のＲＢＡｐ４８産生抑制作用又は阻害作用を測定することを特徴とするアポトーシス阻害剤のスクリーニング方法。
【発明の詳細な説明】
【０００１】
【発明の属する技術分野】
本発明は、自己免疫疾患の予防・治療剤、そのスクリーニング方法及び自己免疫疾患判定方法に関する。
【０００２】
【従来の技術】
自己免疫疾患とは、個体自身を構成する成分（自己抗原）に対する抗体（自己抗体）や、自己抗原に対するＴ細胞によって引き起こされる疾患であり、特定の臓器がおかされるものから、全身的に症状が広がるものまで、様々なタイプが知られている。自己抗体は、細胞を破壊したり（自己免疫性溶血性貧血等）、生理機能を妨害したり（重症筋無力症等）、受容体を異常に刺激したり（バセドウ病（グレーヴス病）等）、抗原抗体複合体（免疫複合体）として血管壁に沈着し炎症を起こす（全身性エリテマトーデス（ＳＬＥ）等）など、様々な働きをする。一般に、自己抗原に対して個体は免疫応答しない（自己寛容）が、何らかの原因で自己寛容が崩壊すると自己免疫疾患になると考えられている。しかし、一般的な原因の特定はなされていない。従って、その治療方法は対症的なものが主であり、今だ十分確立された治療方法があるとは言い難いのが現状である。
【０００３】
自己免疫疾患の内、シェーグレン症候群は、涙腺・唾液腺を始めとする全身の外分泌腺に系統的な慢性炎症をきたし、外分泌腺の機能低下に基く乾燥症状、例えば乾燥性角結膜炎、慢性唾液腺炎による乾燥症候群等を主特徴とする疾患として知られている。その病因としては、何らかの遺伝的素因に加えて、免疫異常、未知の環境要因等が関与することが推測されているが、やはり詳細は不明であり、根本的な経過に対する特異的な治療法はない。
【０００４】
病因解明へのアプローチの一つとして、シェーグレン症候群をはじめとする自己免疫疾患の多くが、閉経期以降の女性を中心に発症するという事実が注目される。すなわち、エストロジェンの欠乏によって標的臓器に何らかの変化が起きることが想定される。これを支持する知見として、本発明者は、シェーグレン症候群のモデルマウスを用いた検討において、エストロジェンの欠乏が、腺細胞のアポトーシスを介して病態を悪化させ、また、この悪化をエストロジェン補給により防御できることを報告している（非特許文献１参照）。
【０００５】
一方ＲＢＡｐ４８（ｒｅｔｉｎｏｂｌａｓｔｏｍａ  ａｓｓｏｃｉａｔｅｄ  ｐｒｏｔｅｉｎ  ４８）は、癌抑制遺伝子産物として知られているＲｂ蛋白質と複合体を形成する核蛋白質として、そのヒト型遺伝子が１９９３年にクローニングされた（非特許文献２参照）。その機能としては、ヒストン脱アセチル化酵素複合体の構成成分の一つとして、細胞の分化・増殖の調節に関与するとの報告がある（非特許文献３、４参照）。しかし、ＲＢＡｐ４８が自己免疫疾患の病態改善に対してどのような作用をするかは全く知られていない。
【０００６】
【非特許文献１】
Ｉｓｈｉｍａｒｕ  Ｎ  ｅｔ  ａｌ．  Ｅｓｔｒｏｇｅｎ  ｄｅｆｉｃｉｅｎｃｙ  ａｃｃｅｌｅｒａｔｅｓ  ａｕｔｏｉｍｍｕｎｅ  ｅｘｏｃｒｉｎｏｐａｔｈｙ  ｉｎ  ｍｕｒｉｎｅ  Ｓｊｏｇｒｅｎ’ｓ  ｓｙｎｄｒｏｍｅ  ｔｈｒｏｕｇｈ  ｆａｓ−ｍｅｄｉａｔｅｄ  ａｐｏｐｔｏｓｉｓ．  Ａｍ．  Ｊ．  Ｐａｔｈｏｌ．  １５５（１），  １７３−８１（１９９９）
【非特許文献２】
Ｑｉａｎ  ＹＷ  ｅｔ  ａｌ．  Ａ  ｒｅｔｉｎｏｂｌａｓｔｏｍａ−ｂｉｎｄｉｎｇ  ｐｒｏｔｅｉｎ  ｒｅｌａｔｅｄ  ｔｏ  ａｎｅｇａｔｉｖｅ  ｒｅｇｕｌａｔｏｒ  ｏｆ  Ｒａｓ  ｉｎ  ｙｅａｓｔ．  Ｎａｔｕｒｅ  ３６４（６４３８），  ６４８−５２（１９９３）
【非特許文献３】
Ｑｉａｎ  ＹＷ  ｅｔ  ａｌ．  Ｄｕａｌ  ｒｅｔｉｎｏｂｌａｓｔｏｍａ−ｂｉｎｄｉｎｇ  ｐｒｏｔｅｉｎｓ  ｗｉｔｈ  ｐｒｏｐｅｒｔｉｅｓ  ｒｅｌａｔｅｄ  ｔｏ  ａ  ｎｅｇａｔｉｖｅ  ｒｅｇｕｌａｔｏｒ  ｏｆ  ｒａｓ  ｉｎ  ｙｅａｓｔ．  Ｊ．  Ｂｉｏｌ．  Ｃｈｅｍ．  ２７０（４３），  ２５５０７−１３（１９９５）
【非特許文献４】
Ｎｉｃｏｌａｓ  Ｅ  ｅｔ  ａｌ．  ＲＢＡｐ４８  ｂｅｌｏｎｇｓ  ｔｏ  ｔｈｅ  ｈｉｓｔｏｎｅ  ｄｅａｃｅｔｙｌａｓｅｃｏｍｐｌｅｘ  ｔｈａｔ  ａｓｓｏｃｉａｔｅｓ  ｗｉｔｈ  ｔｈｅ  ｒｅｔｉｎｏｂｌａｓｔｏｍａ  ｐｒｏｔｅｉｎ．  Ｊ．  Ｂｉｏｌ．  Ｃｈｅｍ．  ２７５（１３），  ９７９７−８０４（２０００）
【０００７】
【発明が解決しようとする課題】
従って、本発明の目的は、従来は根本的治療法が知られていない自己免疫疾患の予防・治療剤、そのスクリーニング方法及び自己免疫疾患判定方法を提供することにある。
【０００８】
【課題を解決するための手段】
上記のような実状を勘案し、本発明者らは鋭意研究を行った結果、自己免疫疾患、特にシェーグレン症候群の標的臓器である唾液腺に、エストロジェン欠乏によって発現する因子の一つとしてＲＢＡｐ４８を見出し、ＲＢＡｐ４８の導入により唾液腺細胞のアポトーシスが確認されたことから、腺組織中のＲＢＡｐ４８濃度を測定すれば自己免疫疾患の診断が可能であること；また被検体のＲＢＡｐ４８産生抑制作用又は阻害作用を測定すれば自己免疫疾患の予防・治療剤のスクリーニングが可能であること；さらに、ＲＢＡｐ４８産生抑制剤又は阻害剤がシェーグレン症候群をはじめとする自己免疫疾患に対して優れた予防・治療効果を有し、医薬として有用であることを見出し、本発明を完成した。
【０００９】
すなわち本発明は、ＲＢＡｐ４８産生抑制剤又は阻害剤を有効成分とする自己免疫疾患の予防・治療剤；被検体のＲＢＡｐ４８産生抑制作用又は阻害作用を測定することを特徴とする自己免疫疾患の予防・治療剤のスクリーニング方法；さらには腺組織中ＲＢＡｐ４８濃度測定試薬を含有することを特徴とする自己免疫疾患の診断剤又は診断用キット、並びに判定方法を提供するものである。
【００１０】
【発明の実施の形態】
本発明の自己免疫疾患の予防・治療剤の有効成分として用いられるＲＢＡｐ４８産生抑制剤又は阻害剤としては、ＲＢＡｐ４８の機能を阻害するものであれば何でも良く、例えばＲＢＡｐ４８遺伝子のアンチセンスオリゴヌレオチドやＲＢＡｐ４８に特異的な転写因子を阻害する等のＲＢＡｐ４８の遺伝子発現自体を阻害するもの、二重鎖ＲＮＡによるＲＮＡ干渉作用等によってＲＢＡｐ４８遺伝子のｍＲＮＡを特異的に分解するもの、ＲＢＡｐ４８の蛋白質発現を阻害するもの、ＲＢＡｐ４８の発現後修飾を阻害するもの、ＲＢＡｐ４８の機能的抗体等に代表されるＲＢＡｐ４８の機能自体を阻害するもの等が挙げられる。
【００１１】
本発明の自己免疫疾患の予防・治療剤を使用するにあたり、投与量、投与部位、投与間隔、投与期間等は投与対象の患者の性別、年齢、体重、病状、併用することもある他の薬剤や治療法の種類等を考慮して決定される。また、本発明の自己免疫疾患の予防・治療剤の剤型には特別の制限はなく、有効成分であるＲＢＡｐ４８産生抑制剤又は阻害剤は、単独又は他の薬学的に許容される溶解剤、賦形剤、結合剤、希釈剤等の担体を用いて、錠剤、カプセル剤、顆粒剤、粉末剤、ローション剤、軟膏剤、注射剤、坐剤等の剤型とすることができる。これらの製剤は、公知の方法で製造することができる。例えば、経口投与用製剤とする場合には、トラガントガム、アラビアガム、ショ糖エステル、レシチン、オリーブ油、大豆油、ＰＥＧ４００等の溶解剤、澱粉、マンニトール、乳糖等の賦形剤、カルボキシメチルセルロースナトリウム、ヒドロキシプロピルセルロース等の結合剤、結晶セルロース、カルボキシメチルセルロースカルシウム等の崩壊剤、タルク、ステアリン酸マグネシウム等の滑沢剤、軽質無水ケイ酸等の流動性向上剤等を適宜組み合わせて処方することにより製造することができる。
【００１２】
本発明の自己免疫疾患の予防・治療剤は、経口投与又は非経口投与により投与される。本発明の自己免疫疾患予防・治療剤の投与量は、患者の体重、年齢、性別、症状等によって異なるが、通常成人の場合、一日０．０１〜１０００ｍｇ、好ましくは０．１〜１００ｍｇを１回又は数回に分けて投与するのが好ましい。
【００１３】
かくして得られる本発明の自己免疫疾患の予防・治療剤は、様々な自己免疫疾患、例えば橋本甲状腺炎、ＳＬＥ、グッドパスチャー症候群、天疱瘡、受容体自己免疫疾患、バセドウ病（グレーヴス病）、重症筋無力症、インスリン抵抗性、自己免疫性溶血性貧血、自己免疫性血小板減少性紫斑病、自己免疫性脳脊髄炎、リウマチ、強皮症、混合結合組織病、多発性筋炎、悪性貧血、特発性アジソン病、一部の不妊、糸球体腎炎、水疱性天疱瘡、シェーグレン症候群、一部の糖尿病、アドレナリン作動薬耐性、慢性活動性肝炎、原発性胆汁性肝硬変、内分泌腺不全、白斑、血管炎、心術後症候群、蕁麻疹、アトピー性皮膚炎、一部の喘息の他、原因不明の炎症性・肉芽腫性・変性及び萎縮性の疾患等の予防・治療に有用である。
【００１４】
本発明の自己免疫疾患の予防・治療剤のスクリーニング方法としてのＲＢＡｐ４８産生抑制作用又は阻害作用の測定は、自体公知の方法に準じて行うことができる。例えば、ヒト唾液腺細胞等の腺細胞にＲＢＡｐ４８の遺伝子を導入し、ＲＢＡｐ４８産生能を高めた細胞はアポトーシスを引き起こすが、この細胞に対して、予め被検体を添加することでアポトーシスが抑制されれば、当該被検体は自己免疫疾患の予防・治療剤として有用であると判定できる。また、ＲＢＡｐ４８産生抑制作用又は阻害作用は、前記ＲＢＡｐ４８産生能を高めた細胞のアポトーシスによっても測定できるが、当該細胞のＲＢＡｐ４８遺伝子の測定、ＲＢＡｐ４８自体の直接測定によっても判定することができる。さらには、同一の試験系において、アポトーシス阻害作用を有する物質のスクリーニングも可能であることは明らかである。
【００１５】
本発明の自己免疫疾患の判定方法としては、腺組織中のＲＢＡｐ４８濃度又はＲＢＡｐ４８遺伝子発現を公知の方法に準じて測定することにより行うことができる。ＲＢＡｐ４８濃度の測定法としては、免疫学的方法が好ましく、例えばＥＬＩＳＡ法等を用いて測定するのがより好ましい。
ＲＢＡｐ４８遺伝子発現の測定法としては、ＰＣＲ法、ノーザンブロット法、遺伝子チップ法等が挙げられる。ここで腺組織としては、唾液腺、涙腺、甲状腺、膵外分泌腺、肝内胆管、汗腺、乳腺、ハーダー腺、前立腺、尿道球腺等が挙げられる。これらの腺組織は、バイオプシー（生検）、オートプシー（剖検）等により被検者から採取することができる。また、これらの測定法は腺組織以外の検体にも応用でき、例えば、被検者から採取した血清、唾液、涙液、胆汁、膵液、髄液、尿等に含まれるＲＢＡｐ４８、又はＲＢＡｐ４８に関連する因子（結合タンパク、抗体、誘導タンパク、変性タンパクなど）等の測定によっても、本発明を実施することができる。
【００１６】
また、本発明の自己免疫疾患診断剤としては、腺組織中のＲＢＡｐ４８濃度を測定できる試薬を含有していればよく、例えば免疫学的測定試薬の場合には、抗ＲＢＡｐ４８モノクローナル抗体、抗ＲＢＡｐ４８ポリクローナル抗体等を含む試薬が挙げられる。また、当該診断剤には、さらに標識第二抗体、標識抗ＲＢＡｐ４８モノクローナル抗体、標識抗ＲＢＡｐ４８ポリクローナル抗体等の標識体を含むのが好ましい。またその標識としては、放射性同位元素、酵素、蛍光物質、発光物質等が挙げられる。
【００１７】
【実施例】
以下に、実施例を用いて本発明を具体的に説明するが、本発明はこれらに限定されるものではない。
【００１８】
実施例１（正常マウスにおける唾液腺細胞のアポトーシス）
Ｃ５７ＢＬ／６マウスおよびエストロジェンレセプターノックアウト（ＥＲαＫＯ）マウスに卵巣摘出（Ｏｖｘ）を施し、唾液腺細胞のアポトーシスを施術後６週まで経時的に観察した。アポトーシスは、唾液腺組織切片のＴＵＮＥＬ染色を行い、その染色率（ＴＵＮＥＬ  ｉｎｄｅｘ）により評価した。なお比較対照として、Ｏｖｘを行わない偽手術群（Ｓｈａｍ）を用意した。その結果、図１に示すように、卵巣摘出を施されたＣ５７ＢＬ／６マウスの唾液腺おいて、Ｏｖｘ後２週および３週目にて一過性のアポトーシスが観察された。一方、ＥＲαＫＯマウスの唾液腺細胞では、アポトーシス細胞の増加は認められなかった。従って、唾液腺細胞のアポトーシスにエストロジェンの欠乏が関わることが確認された。
【００１９】
実施例２（培養細胞におけるアポトーシスの誘導）
常法に従い培養した各種の培養細胞（マウス唾液腺細胞株（ＭＳＧ：Ｂ６、ＥＲαＫＯの２種）、ヒト唾液腺細胞株（ＨＳＧ）、ヒト乳ガン培養細胞株（ＭＣＦ−７）、ヒト急性  Ｔ  細胞性白血病細胞株（Ｊｕｒｋａｔ）およびヒト大腸癌培養細胞株（ＨＴ−２９、Ｃｏｌｏ２０１））に対し、エストロジェンのアンタゴニストであるタモキシフェン（Ｔａｍ：終濃度；１０−７Ｍ）を作用させ、アポトーシス、唾液腺特異的自己抗原への影響を観察し、カスパーゼを中心としたアポトーシス関連プロテアーゼの活性を検討した。なお陽性対照として、アポトーシス誘導剤であるＳｔａｕｒｏｓｐｏｒｉｎ（終濃度；１０−６Ｍ）を用いた群を用意した。Ｔａｍ添加後４８時間における各細胞のアポトーシスをフローサイトメータにてＡｎｎｅｘｉｎ−Ｖ−ＦＩＴＣを用いて検討した結果、図２に示すごとくＭＳＧ細胞（Ｂ６）、ＨＳＧ細胞にてＴａｍ無添加群に比較してアポトーシスの割合の有意な上昇が認められた。なおＭＣＦ−７は、Ｔａｍにてアポトーシスが誘導されることが知られている細胞株である。ＥＲαＫＯマウス由来のＭＳＧ細胞では、Ｔａｍによりアポトーシスは観察されなかった。一方、Ｓｔａｕｒｏｓｐｏｒｉｎの添加群ではすべての細胞に高率にアポトーシスが認められ、細胞間での差異は見られなかった。また、唾液腺細胞のＴａｍにより誘導されたアポトーシスは、エストラジオール（Ｅ２：終濃度；１０−９Ｍ、添加時間；Ｔａｍ刺激前２４時間）による前処理にて抑制されることが判明し、Ｔａｍによる唾液腺細胞のアポトーシスがエストロジェンを介していることが示唆された。
【００２０】
実施例３（抗エストロジェン作用によって誘導される遺伝子の同定）
ＨＳＧ細胞を用い、無刺激細胞を対照としてＴａｍ刺激にて強発現したｍＲＮＡを常法にて抽出し、ディファレンシャルデスプレイ法（ＲＮＡ  ｉｍａｇｅ  ｋｉｔ，  Ｇｅｎｅ  ＨｕｎｔｅｒＴＭ、東洋紡）により単離した遺伝子断片を大腸菌内にトランスフォーメーション、クローニングした後、複数の単離遺伝子断片をプローブとしてタモキシフェン（終濃度；１０−７Ｍ）にて発現が増強し、エストラジオール添加（終濃度；１０−９Ｍ）にてその発現が低下するｍＲＮＡをＨＳＧ細胞を用いて図３に示すごとくノーザンブロット法にて検討し、当該遺伝子断片のアミノ酸配列を常法によるシークエンス解析を行ったところ、ＲＢＡｐ４８遺伝子が同定された。ＨＳＧ細胞におけるＲＢＡｐ４８  ｍＲＮＡはＴａｍ刺激２時間で強い発現を認めた。さらに、正常ヒト臓器ｍＲＮＡを用いたＲＢＡｐ４８発現をノーザンブロットにて解析すると、唾液腺組織では検索した組織の中では最も発現が低く、精巣、脂肪組織にて強い発現を認めることが判明した。これらの結果は、正常唾液腺細胞での発現の低いＲＢＡｐ４８が、抗エストロジェン作用による発現増強が起こる可能性を示唆している。
【００２１】
実施例４（各種細胞株へのＲＢＡｐ４８遺伝子導入によるアポトーシスの検討）
ＲＢＡｐ４８の唾液腺細胞での機能的役割を知るためにＴａｍ刺激にて用いた細胞を含め各種細胞株（ＣＣＳＫ；ヒト胆管細胞癌細胞株、ＳＨ−ＳＹ５Ｙ；ヒト神経細胞株、Ｒａｊｉ；ヒトＢ細胞株、ＴＨＰ−１，  Ｕ９３７；ヒト単球性白血病細胞株）を用い、ｐＣＭＶベクターに挿入されたＲＢＡｐ４８遺伝子（終濃度；１μｇ／ｍｌ）をリポフェクション法により導入し、４８時間後のアポトーシスの割合をＡｎｎｅｘｉｎ−Ｖ−ＦＩＴＣを用いてフローサイトーメータにより解析した結果、Ｂ６マウス由来ＭＳＧ細胞、ＥＲαＫＯマウス由来ＭＳＧ細胞、ＨＳＧ細胞でのアポトーシスの割合はベクターのみのＭｏｃｋ導入群に比較して有意に上昇し、ｐ５３ＫＯマウス由来ＭＳＧ細胞を含め他の細胞株ではＲＢＡｐ４８遺伝子過剰発現によるアポトーシスは観察されなかった（図４）。これらの結果は、唾液腺細胞がＲＢＡｐ４８の発現により特異的にアポトーシスが誘導され、そのアポトーシスはエストロジェンレセプター以降の下流シグナルを介し、ｐ５３分子が重要な役割を示す可能性を示唆している。
【００２２】
実施例５（ＲＢＡｐ４８−ｓｔａｂｌｅ  ｃｅｌｌ  ｌｉｎｅの樹立とアポトーシス経路の検討）
培養系へのＩＰＴＧ添加により安定的にＲＢＡｐ４８の発現調節が可能なＳｔａｂｌｅ  ｃｅｌｌ  ｌｉｎｅを、ＬａｃＳｗｉｔｃｈ  ＩＩ  Ｉｎｄｕｃｉｂｌｅ  Ｍａｍｍａｌｉａｎ  Ｅｘｐｒｅｓｓｉｏｎ  Ｓｙｓｔｅｍ  （ＳＴＲＡＴＥＧＥＮＥ）を用い、ＨＳＧ細胞より樹立した（ＲＨ０細胞）。図５に示すごとく、ＩＰＴＧ添加２時間後より１２時間まで経時的にアポトーシスの割合が上昇し、ＲＢＡｐ４８タンパクの発現もこのアポトーシスの推移との相関が認められた。また、ＲＨ０細胞についてＩＰＴＧ添加後６時間での細胞溶解物における細胞周期関連分子であるＲＢ、リン酸化ＲＢ、ＣｙｃｌｉｎＤ３、ｐ１９ＡＲＦについて各抗体（ＢＤ  Ｔｒａｂｓｄｕｃｔｉｏｎ  Ｌａｂｏｒａｔｏｒｙ）を用いてウエスタンブロット法にて検討した結果、各種ＲＢタンパクの発現に変化はなかったが、ＩＰＴＧ添加によりＲＢのリン酸化、ＣｙｃｌｉｎＤ３およびｐ１９ＡＲＦの発現増強が認められた。さらに、ＩＰＴＧ添加ＲＨＯ細胞の核抽出物を用いたゲルシフトアッセイによるＥ２Ｆ−１の転写活性の上昇が示唆された（図５）。
【００２３】
実施例６（ＲＢＡｐ４８誘導性アポトーシスへのＲＢＡｐ４８  ｓｉＲＮＡによる効果）
ＲＢＡｐ４８のｓｉＲＮＡを作成（センス；ＣＧＡ  ＧＧＡ  ＡＵＡ  ＣＡＡ  ＡＡＵ  ＡＵＧ  ＧＴＴ（配列番号１），  アンチセンス；ＣＣＡ  ＵＡＵ  ＵＣＵ  ＧＵＡ  ＵＵＣ  ＣＵＣ  ＧＴＴ（配列番号２））し、ＲＢＡｐ４８−ｓｔａｂｌｅ  ｃｅｌｌ  ｌｉｎｅに導入することによりＲＢＡｐ４８を介したアポトーシスに影響するか否かを検討した。図６に示すごとく、ＲＢＡｐ４８  ｓｉＲＮＡ（終濃度；０．５〜１００ｎＭ）をリポフェクション法にてＲＨ０細胞に導入し、導入２４時間後にＩＰＴＧを添加し８時間の培養後にＡｎｎｅｘｉｎ−Ｖ−ＦＩＴＣを用い、フローサイトメータにてアポトーシスの割合を検討した。ＩＰＴＧの添加により誘導されるアポトーシスは５０ｎＭのＲＢＡｐ４８  ｓｉＲＮＡの導入により有意に抑制されることが観察された。一方、ＧＡＰＤＨ  ｓｉＲＮＡおよび非機能的対照ｓｉＲＮＡの導入ではＩＰＴＧ添加で誘導された唾液腺細胞のアポトーシスには影響を示さなかった。
【００２４】
以上の結果から、閉経期の女性に多発する自己免疫疾患の発症の分子機構にＲＢＡｐ４８が重要な役割を果たしていることが明らかにされ、標的細胞のアポトーシス阻害による、自己免疫疾患に対する新規治療法開発の可能性が強く示唆された。ＲＢＡｐ４８阻害による難病克服の臨床応用が可能となれば、社会的貢献度は多大なものと考えられる。
【００２５】
【発明の効果】
本発明によれば、従来は根本的治療法が知られていない自己免疫疾患の予防・治療剤、そのスクリーニング方法及び自己免疫疾患判定方法を得ることができる。
【００２６】
【配列表】
2004323477.tif 000002
2004323477.tif 000003
【図面の簡単な説明】
【図１】正常マウスにおける唾液腺細胞のアポトーシスを示す図である。図１中、ＴＵＮＥＬ  ｉｎｄｅｘは染色率を、Ｏｖｘは卵巣摘出群を、Ｓｈａｍは偽手術群を、Ｗｅｅｋ  ａｆｔｅｒ  Ｏｖｘは卵巣摘出手術後の経過週を示す。
【図２】培養細胞におけるアポトーシスの誘導を示す図である。図２中、Ａｐｏｐｔｏｔｉｃ  ｃｅｌｌｓはアポトーシスの割合を、Ｍｅｄｉｕｍはコントロール群を、Ｔａｍはタモキシフェン添加群を、Ｓｔａｕｒｏｓｐｏｒｉｎはスタウロスポリン添加群を、Ｅ２はエストラジオール添加群を、Ｅ２＋Ｔａｍはエストラジオール及びタモキシフェン添加群を示す。
【図３】抗エストロジェン作用によって誘導される遺伝子を示す図である。図３中、Ｍｅｄｉｕｍはコントロール群を、Ｔａｍはタモキシフェン添加群を、Ｅ２＋Ｔａｍはエストラジオール及びタモキシフェン添加群を示す。
【図４】各種細胞株へのＲＢＡｐ４８遺伝子導入によるアポトーシスを示す図である。図４中、Ａｐｏｐｔｏｔｉｃ  ｃｅｌｌｓはアポトーシスの割合を示す。
【図５】ＲＢＡｐ４８−ｓｔａｂｌｅ  ｃｅｌｌ  ｌｉｎｅのアポトーシスを示す図である。図５中、Ａｐｏｐｔｏｔｉｃ  ｃｅｌｌｓはアポトーシスの割合を、ＩＰＴＧはイソプロピル−β−Ｄ−チオガラクトシドを示す。
【図６】ＲＢＡｐ４８誘導性アポトーシスへのＲＢＡｐ４８  ｓｉＲＮＡの効果を示す図である。図６中、Ａｐｏｐｔｏｔｉｃ  ｃｅｌｌｓはアポトーシスの割合を示す。
【図１】
2004323477.tif 000004
【図２】
2004323477.tif 000005
【図３】
2004323477.tif 000006
【図４】
2004323477.tif 000007
【図５】
2004323477.tif 000008
【図６】
2004323477.tif 000009